(57)【要約】【課題】  容器本体から蓋が不意に外れることを防止するのに役立つ飲料容器用スリーブを提供する。【解決手段】  飲料容器用スリーブ１は、容器本体と容器本体に取り付けられた蓋とを有する飲料容器に用いられる飲料容器用スリーブであって、筒状部材１０を備えている。筒状部材１０は、容器本体の側面を包囲するように飲料容器に装着される。筒状部材１０は、伸縮性を有しており、容器本体の側面から蓋にかけて覆う。【選択図】  図１
2017119548.tif 000002
【特許請求の範囲】
【請求項１】
容器本体と当該容器本体に取り付けられた蓋とを有する飲料容器に用いられる飲料容器用スリーブであって、
前記容器本体の側面を包囲するように前記飲料容器に装着される筒状部材を備え、
前記筒状部材は、伸縮性を有しており、前記容器本体の前記側面から前記蓋にかけて覆うことを特徴とする飲料容器用スリーブ。
【請求項２】
請求項１に記載の飲料容器用スリーブにおいて、
前記筒状部材は、前記容器本体の前記側面及び前記蓋に密着した状態で、当該側面から当該蓋にかけて覆う飲料容器用スリーブ。
【請求項３】
請求項１又は２に記載の飲料容器用スリーブにおいて、
前記筒状部材は、前記蓋の縁部の上面まで覆う飲料容器用スリーブ。
【請求項４】
請求項３に記載の飲料容器用スリーブにおいて、
前記筒状部材は、前記上面に密着した状態で、当該上面を覆う飲料容器用スリーブ。
【請求項５】
請求項１乃至４の何れかに記載の飲料容器用スリーブにおいて、
前記筒状部材は、前記容器本体の前記側面の全体を覆う飲料容器用スリーブ。
【請求項６】
請求項１乃至５の何れかに記載の飲料容器用スリーブにおいて、
前記筒状部材は、前記容器本体の底面まで覆う飲料容器用スリーブ。
【請求項７】
請求項６に記載の飲料容器用スリーブにおいて、
前記筒状部材は、前記容器本体の前記底面に密着した状態で、当該底面を覆う飲料容器用スリーブ。
【請求項８】
請求項１乃至７の何れかに記載の飲料容器用スリーブにおいて、
前記筒状部材は、当該筒状部材の周方向に伸縮性を有する飲料容器用スリーブ。
【請求項９】
請求項８に記載の飲料容器用スリーブにおいて、
前記筒状部材の周方向の伸縮率は、１２０％以上である飲料容器用スリーブ。
【請求項１０】
請求項９に記載の飲料容器用スリーブにおいて、
前記筒状部材の周方向の伸縮率は、１５０％以上である飲料容器用スリーブ。
【請求項１１】
請求項１乃至１０の何れかに記載の飲料容器用スリーブにおいて、
前記筒状部材は、当該筒状部材の高さ方向に伸縮性を有する飲料容器用スリーブ。
【請求項１２】
請求項１１に記載の飲料容器用スリーブにおいて、
前記筒状部材の高さ方向の伸縮率は、１２０％以上である飲料容器用スリーブ。
【請求項１３】
請求項１２に記載の飲料容器用スリーブにおいて、
前記筒状部材の高さ方向の伸縮率は、１５０％以上である飲料容器用スリーブ。
【請求項１４】
請求項１乃至１３の何れかに記載の飲料容器用スリーブにおいて、
前記筒状部材の上端部は、窄んでいる飲料容器用スリーブ。
【請求項１５】
請求項１乃至１４の何れかに記載の飲料容器用スリーブにおいて、
前記筒状部材の下端部は、窄んでいる飲料容器用スリーブ。
【請求項１６】
請求項１乃至１５の何れかに記載の飲料容器用スリーブにおいて、
前記筒状部材は、裏返された状態でも、前記飲料容器に装着可能である飲料容器用スリーブ。
【請求項１７】
請求項１６に記載の飲料容器用スリーブにおいて、
前記筒状部材は、当該筒状部材の外面と内面とで相異なる色彩を有する飲料容器用スリーブ。
【請求項１８】
請求項１６又は１７に記載の飲料容器用スリーブにおいて、
前記筒状部材は、当該筒状部材の外面と内面とで相異なる模様を有する飲料容器用スリーブ。
【請求項１９】
請求項１乃至１８の何れかに記載の飲料容器用スリーブにおいて、
複数の前記筒状部材を備える飲料容器用スリーブ。
【請求項２０】
請求項１９に記載の飲料容器用スリーブにおいて、
前記複数の筒状部材のうち少なくとも２つは、相異なる大きさを有する飲料容器用スリーブ。
【請求項２１】
請求項１９又は２０に記載の飲料容器用スリーブにおいて、
前記複数の筒状部材のうち少なくとも２つは、相異なる色彩を有する飲料容器用スリーブ。
【請求項２２】
請求項１９乃至２１の何れかに記載の飲料容器用スリーブにおいて、
前記複数の筒状部材のうち少なくとも２つは、相異なる模様を有する飲料容器用スリーブ。
【発明の詳細な説明】
【技術分野】
【０００１】
本発明は、飲料容器用スリーブに関する。
【背景技術】
【０００２】
従来の飲料容器用スリーブとしては、例えば特許文献１に記載されたものがある。同文献に記載された飲料容器用スリーブは、飲料容器に装着される筒状部材からなる。飲料容器は、紙コップ（容器本体）と、紙コップに取り付けられた蓋とを有している。筒状部材の上端及び下端は、開放されている。筒状部材は、紙コップの側面形状に合わせて、上端から下端に向かって徐々に径が小さくなるように成形されている。この筒状部材は、紙コップの側面を覆うように着脱可能に装着される。
【先行技術文献】
【特許文献】
【０００３】
【特許文献１】特開２０１３−３５５９３号公報
【発明の概要】
【発明が解決しようとする課題】
【０００４】
上述の飲料容器用スリーブを用いた場合、筒状部材を介して紙コップを把持することになるため、紙コップ内の飲料からの熱が手に伝わるのを抑制することができる。しかしながら、上述の飲料容器においては、容器本体から蓋が不意に外れてしまう場合がある。この点、従来の飲料容器用スリーブは、容器本体から蓋が外れることを防止するのには役に立たない。
【０００５】
本発明は、上記課題に鑑みてなされたものであり、容器本体から蓋が不意に外れることを防止するのに役立つ飲料容器用スリーブを提供することを目的とする。
【課題を解決するための手段】
【０００６】
本発明による飲料容器用スリーブは、容器本体と当該容器本体に取り付けられた蓋とを有する飲料容器に用いられる飲料容器用スリーブであって、上記容器本体の側面を包囲するように上記飲料容器に装着される筒状部材を備え、上記筒状部材は、伸縮性を有しており、上記容器本体の上記側面から上記蓋にかけて覆うことを特徴とする。
【０００７】
この飲料容器用スリーブにおいては、伸縮性を有する筒状部材が、容器本体の側面から蓋にかけて覆う。この場合、筒状部材によって蓋が押さえ付けられるため、容器本体から蓋が不意に外れにくくなる。
【発明の効果】
【０００８】
本発明によれば、容器本体から蓋が不意に外れることを防止するのに役立つ飲料容器用スリーブが実現される。
【図面の簡単な説明】
【０００９】
【図１】本発明による飲料容器用スリーブの一実施形態を示す斜視図である。
【図２】図１のII−II線に沿った切断面の構造を示す図である。
【図３】筒状部材１０が装着される飲料容器９０を示す正面図である。
【図４】筒状部材１０が飲料容器９０に装着された様子を示す正面図である。
【図５】図４のV−V線に沿った切断面の構造を示す図である。
【図６】筒状部材１０の周方向の伸縮率について説明するための図である。
【図７】筒状部材１０の高さ方向の伸縮率について説明するための図である。
【図８】変形例に係る飲料容器用スリーブ１を示す斜視図である。
【図９】筒状部材１０の一変形例を説明するための図である。
【図１０】筒状部材１０の他の変形例を説明するための図である。
【図１１】筒状部材１０の他の変形例を説明するための図である。
【図１２】蓋９４の変形例を説明するための図である。
【発明を実施するための形態】
【００１０】
以下、図面を参照しつつ、本発明の実施形態について詳細に説明する。なお、図面の説明においては、同一要素には同一符号を付し、重複する説明を省略する。
【００１１】
図１は、本発明による飲料容器用スリーブの一実施形態を示す斜視図である。また、図２は、図１のII−II線に沿った切断面の構造を示す図である。図２においては、切断面を実線で示している。飲料容器用スリーブ１は、飲料容器に用いられる飲料容器用スリーブであって、筒状部材１０を備えている。筒状部材１０は、筒状をしており、飲料容器に装着される。筒状部材１０の上端及び下端は、何れも開放されている。
【００１２】
図３は、筒状部材１０が装着される飲料容器９０を示す正面図である。飲料容器９０は、容器本体９２、及び蓋９４を有している。容器本体９２には、飲料が入れられる。飲料は、ホットコーヒー等の高温の飲料であってもよいし、アイスコーヒー等の低温の飲料であってもよい。容器本体９２は、例えば、紙コップ（カップ）、プラスチックコップ（カップ）等である。蓋９４は、容器本体９２に取り付けられている。蓋９４は、その縁部９４ａが容器本体９２の縁部に嵌合することにより、容器本体９２に対して着脱可能に固定される。蓋９４の中央部９４ｂは、盛り上がっている。中央部９４ｂには、飲み口として機能する穴が形成されている。蓋９４の材料は、例えばプラスチックである。
【００１３】
図４は、筒状部材１０が飲料容器９０に装着された様子を示す正面図である。また、図５は、図４のV−V線に沿った切断面の構造を示す図である。図５においては、切断面を実線で示すとともに、飲料容器９０の構造を簡略化している。筒状部材１０は、容器本体９２の側面を包囲するように飲料容器９０に装着されている。筒状部材１０は、容器本体９２の側面から蓋９４にかけて覆っている。詳細には、筒状部材１０は、容器本体９２の側面及び蓋９４に密着した状態で、当該側面から蓋９４にかけて覆っている。ただし、図５においては、見やすくするため、飲料容器９０との間に隙間を設けて筒状部材１０を描いている。
【００１４】
本実施形態において筒状部材１０は、蓋９４の縁部９４ａの上面まで覆っている。詳細には、筒状部材１０は、縁部９４ａの上面に密着した状態で、当該上面を覆っている。また、筒状部材１０は、容器本体９２の側面の全体を覆っている。さらに、筒状部材１０は、容器本体９２の底面まで覆っている。詳細には、筒状部材１０は、容器本体９２の底面に密着した状態で、当該底面を覆っている。
【００１５】
図２に戻って、筒状部材１０は、側面被覆部１０ａ、上面被覆部１０ｂ及び底面被覆部１０ｃを含んでいる。側面被覆部１０ａは、容器本体９２の側面を覆う部分であり、上面被覆部１０ｂと底面被覆部１０ｃとの間に位置する。上面被覆部１０ｂは、蓋９４の縁部９４ａの上面を覆う部分であり、筒状部材１０の上端部に位置する。底面被覆部１０ｃは、容器本体９２の底面を覆う部分であり、筒状部材１０の下端部に位置する。側面被覆部１０ａは、上面被覆部１０ｂから遠ざかるにつれて（底面被覆部１０ｃに近づくにつれて）、径が次第に小さくなっている。上面被覆部１０ｂは、側面被覆部１０ａから遠ざかるにつれて径が次第に小さくなっている。底面被覆部１０ｃも、側面被覆部１０ａから遠ざかるにつれて径が次第に小さくなっている。なお、図２に示す切断面において、上面被覆部１０ｂ及び底面被覆部１０ｃは、側面被覆部１０ａの延長線の内側に存在する。このように、筒状部材１０の上端部及び下端部は、何れも窄んでいる。
【００１６】
筒状部材１０は、伸縮性を有している。本実施形態において筒状部材１０は、筒状部材１０の周方向に伸縮性を有するとともに、筒状部材１０の高さ方向にも伸縮性を有している。筒状部材１０は、その周方向及び高さ方向の双方に伸長した状態で、容器本体９２の側面及び蓋９４を覆うことが好ましい。筒状部材１０の周方向の伸縮率は、１２０％以上であることが好ましく、１５０％以上であることがより好ましい。ここで、筒状部材１０の周方向の伸縮率は、図６に示すように、筒状部材１０の最大周長Ｌ１の自然周長Ｌ０に対する割合として定義される。同図は、筒状部材１０の任意の位置における水平断面を示している。なお、筒状部材１０の上下方向の位置によって上記割合が異なる場合、その最小値をもって筒状部材１０の周方向の伸縮率とする。自然周長Ｌ０は、筒状部材１０が力を受けていない状態での周長に等しい。最大周長Ｌ１は、筒状部材１０を径方向に弾性限度まで拡張したときの周長に等しい。
【００１７】
筒状部材１０の高さ方向の伸縮率は、１２０％以上であることが好ましく、１５０％以上であることがより好ましい。ここで、筒状部材１０の高さ方向の伸縮率は、図７に示すように、筒状部材１０の最大高Ｈ１の自然高Ｈ０に対する割合として定義される。同図は、筒状部材１０を径方向から見た図である。自然高Ｈ０は、筒状部材１０が力を受けていない状態での高さに等しい。最大高Ｈ１は、筒状部材１０を高さ方向に弾性限度まで拡張したときの高さに等しい。筒状部材１０の材料としては、例えば、ゴム、伸縮性プラスチック又は伸縮性不織布を用いることができる。
【００１８】
筒状部材１０は、裏返された状態でも、飲料容器９０に装着可能であることが好ましい。その場合、筒状部材１０は、その外面と内面とで相異なる色彩を有していてもよい。また、筒状部材１０は、その外面と内面とで相異なる模様を有していてもよい。
【００１９】
飲料容器用スリーブ１の効果を説明する。飲料容器用スリーブ１においては、伸縮性を有する筒状部材１０が、容器本体９２の側面から蓋９４にかけて覆う。この場合、筒状部材１０によって蓋９４が押さえ付けられるため、容器本体９２から蓋９４が不意に外れにくくなる。したがって、容器本体９２から蓋９４が不意に外れることを防止するのに役立つ飲料容器用スリーブ１が実現されている。特に筒状部材１０が伸長した状態で容器本体９２の側面及び蓋９４を覆う場合、蓋９４を押さえ付ける力を強めることができる。
【００２０】
また、このように容器本体９２の側面を筒状部材１０で覆うことにより、容器本体９２内の飲料に対する保温効果を得ることができる。さらに、筒状部材１０を介して容器本体９２を把持することができるため、容器本体９２内に高温（低温）の飲料が入っている場合であっても、手に感じる熱さ（冷たさ）が軽減される。
【００２１】
筒状部材１０は、容器本体９２の側面及び蓋９４に密着した状態で、当該側面から蓋９４にかけて覆う。このように容器本体９２の側面及び蓋９４に筒状部材１０を密着させることにより、容器本体９２と蓋９４との間の固定を強固にすることができる。このことは、容器本体９２から蓋９４が不意に外れるのを防ぐのに有利である。
【００２２】
筒状部材１０は、蓋９４の縁部９４ａの上面まで覆う。このため、筒状部材１０によって蓋９４を上から押さえ付けることができる。このことも、容器本体９２から蓋９４が不意に外れるのを防ぐのに有利である。
【００２３】
筒状部材１０は、縁部９４ａの上面に密着した状態で、当該上面を覆う。このように縁部９４ａの上面に筒状部材１０を密着させることにより、蓋９４を上から押さえ付ける力を強めることができる。
【００２４】
筒状部材１０の上端部は、窄んでいる。これにより、縁部９４ａの上面に筒状部材１０を密着させやすくなる。ただし、筒状部材１０の上端部を窄ませることは、必須でない。
【００２５】
筒状部材１０は、容器本体９２の側面の全体を覆う。これにより、容器本体９２内の飲料に対する保温効果を高めることができる。
【００２６】
筒状部材１０は、容器本体９２の底面まで覆う。このため、筒状部材１０によって容器本体９２を下から押さえ付けることができる。このことも、容器本体９２から蓋９４が不意に外れるのを防ぐのに有利である。また、容器本体９２の底面まで筒状部材１０で覆うことにより、容器本体９２内の飲料に対する保温効果を一層高めることができる。さらに、この場合、飲料容器９０をテーブル等の上に置く際に、容器本体９２の底面とテーブル等との間に筒状部材１０が介在することになる。このため、テーブルに傷がついたり、テーブルマットが熱で変形したりする事態を回避することができる。
【００２７】
筒状部材１０は、容器本体９２の底面に密着した状態で、当該底面を覆う。このように容器本体９２の底面に筒状部材１０を密着させることにより、容器本体９２を下から押さえ付ける力を強めることができる。
【００２８】
筒状部材１０の下端部は、窄んでいる。これにより、容器本体９２の底面に筒状部材１０を密着させやすくなる。ただし、筒状部材１０の下端部を窄ませることは、必須でない。
【００２９】
筒状部材１０は、その周方向に伸縮性を有している。これにより、筒状部材１０によって蓋９４を横から押さえ付ける力を強めることができる。また、このように筒状部材１０が周方向に伸縮性を有することにより、容器本体９２の径が異なる様々な飲料容器９０に対して筒状部材１０を適合させることができる。かかる観点から、筒状部材１０の周方向の伸縮率は、１２０％以上であることが好ましく、１５０％以上であることがより好ましい。他方、筒状部材１０の周方向の伸縮率が大きすぎると、蓋９４を横から押さえ付ける力が不充分になりかねない。そこで、筒状部材１０の周方向の伸縮率は、２００％以下であることが好ましい。
【００３０】
筒状部材１０は、その高さ方向に伸縮性を有している。これにより、筒状部材１０によって蓋９４を上から押さえ付ける力を強めることができる。また、このように筒状部材１０が高さ方向に伸縮性を有することにより、容器本体９２の高さが異なる様々な飲料容器９０に対して筒状部材１０を適合させることができる。かかる観点から、筒状部材１０の高さ方向の伸縮率は、１２０％以上であることが好ましく、１５０％以上であることがより好ましい。他方、筒状部材１０の高さ方向の伸縮率が大きすぎると、蓋９４を上から押さえ付ける力が不充分になりかねない。そこで、筒状部材１０の高さ方向の伸縮率は、２００％以下であることが好ましい。
【００３１】
筒状部材１０に色彩や模様が施されている場合、筒状部材１０ひいてはそれが装着された飲料容器９０の美観を高めることができる。また、独自の色彩や模様を施すことにより、自分の飲料容器９０を他人の飲料容器から識別しやすくなる。
【００３２】
筒状部材１０が裏返された状態でも飲料容器９０に装着可能である場合、飲料容器９０に対してリバーシブルに装着できる筒状部材１０が実現される。この場合において筒状部材１０が外面と内面とで相異なる色彩を有しているとき、筒状部材１０を裏返さない状態（筒状部材１０の外面が露出した状態）と筒状部材１０を裏返した状態（筒状部材１０の内面が露出した状態）とで、相異なる色彩が呈される。このため、１つの筒状部材１０で２つのデザインを楽しめるようになる。筒状部材１０が外面と内面とで相異なる模様を有しているときも同様である。
【００３３】
本発明は、上記実施形態に限定されるものではなく、様々な変形が可能である。上記実施形態において飲料容器用スリーブ１は、図８に示すように、複数の筒状部材１０を備えていてもよい。複数の筒状部材１０のうち少なくとも２つは、相異なる大きさ（径及び／又は高さ）を有することが好ましい。同図において、中央の筒状部材１０は一番左の筒状部材１０よりも大きく、一番右の筒状部材１０は中央の筒状部材１０よりも大きい。また、複数の筒状部材１０のうち少なくとも２つは、相異なる色彩を有することが好ましい。さらに、複数の筒状部材１０のうち少なくとも２つは、相異なる模様を有することが好ましい。
【００３４】
このように複数の筒状部材１０が設けられることにより、複数の筒状部材１０の中から飲料容器９０に装着する筒状部材１０を選択することが可能となる。複数の筒状部材１０のうち少なくとも２つが相異なる大きさを有する場合、様々な大きさの飲料容器９０に対して筒状部材１０をフィットさせやすくなる。すなわち、比較的小さい飲料容器９０には比較的小さい筒状部材１０を選択する一方で、比較的大きい飲料容器９０には比較的大きい筒状部材１０を選択することにより、それぞれの飲料容器９０に筒状部材１０をフィットさせやすくなる。
【００３５】
複数の筒状部材１０のうち少なくとも２つが相異なる色彩を有する場合、より多様なデザインを楽しめるようになる。複数の筒状部材１０のうち少なくとも２つが相異なる模様を有する場合も同様である。
【００３６】
上記実施形態においては、筒状部材１０が蓋９４の縁部９４ａの上面まで覆う場合を例示した。しかし、筒状部材１０が縁部９４ａの上面を覆うことは、必須でない。筒状部材１０は、蓋９４の少なくとも一部を覆っていれば充分である。筒状部材１０は、図９に示すように、縁部９４ａの側面のみを覆っていてもよい。
【００３７】
上記実施形態においては、筒状部材１０が容器本体９２の底面まで覆う場合を例示した。しかし、筒状部材１０が容器本体９２の底面を覆うことは、必須でない。筒状部材１０の下端は、図１０に示すように、容器本体９２の下端に揃っていてもよい。
【００３８】
上記実施形態においては、筒状部材１０が容器本体９２の側面の全体を覆う場合を例示した。しかし、筒状部材１０が容器本体９２の側面の全体を覆うことは、必須でない。筒状部材１０は、図１１に示すように、容器本体９２の側面の一部のみを覆ってもよい。
【００３９】
上記実施形態においては、筒状部材１０がその周方向及び高さ方向の双方について伸縮性を有する場合を例示した。しかし、筒状部材１０は、周方向又は高さ方向の何れか一方についてのみ伸縮性を有していてもよい。
【００４０】
上記実施形態においては、中央部９４ｂが盛り上がったタイプの蓋９４を例示した。しかし、蓋９４は、図１２に示すように、中央部９４ｂが盛り上がっていないタイプのものであってもよい。その場合、中央部９４ｂには、ストローを挿すための十字形の切込みが入っていてもよい。
【符号の説明】
【００４１】
１  飲料容器用スリーブ
１０  筒状部材
１０ａ  側面被覆部
１０ｂ  上面被覆部
１０ｃ  底面被覆部
９０  飲料容器
９２  容器本体
９４  蓋
９４ａ  縁部
９４ｂ  中央部
【図１】
2017119548.tif 000003
【図２】
2017119548.tif 000004
【図３】
2017119548.tif 000005
【図４】
2017119548.tif 000006
【図５】
2017119548.tif 000007
【図６】
2017119548.tif 000008
【図７】
2017119548.tif 000009
【図８】
2017119548.tif 000010
【図９】
2017119548.tif 000011
【図１０】
2017119548.tif 000012
【図１１】
2017119548.tif 000013
【図１２】
2017119548.tif 000014